(57)【要約】【課題】再生回数が限定されている動画ファイルを、再生回数を減少させずにサムネイル表示できる動画編集システムを提供する。【解決手段】再生画キャプチャ処理部は、再生回数が限定されている動画ファイルのタイトル再生中に、所定時間間隔毎にタイトルの再生画をキャプチャし、静止画保存メモリに再生画を静止画ファイルとして保存させる。静止画連続表示処理部は、前記メモリに保存された静止画ファイルを読み出してサムネイル画像としてディスプレイ装置に表示させ、サムネイル画像がカーソルで選択されている場合は、静止画を順次連続表示させる。メモリ内データ削除処理部は、前記メモリに空きが無く、自動で静止画を削除する設定になっている場合は、前記メモリに格納されている静止画ファイルの中で、最後に再生した日時が一番古いタイトルに対応する静止画ファイルを選択して削除する。【選択図】図１
0003126031.tif 000002
【実用新案登録請求の範囲】
【請求項１】
再生回数が限定されている動画ファイルを再生する場合、前記動画ファイルのタイトル再生中に、現在の再生位置は当該キャプチャ位置より後で、そのキャプチャ位置から所定時間経過したか否かを判定する再生位置判定手段と、前記所定時間経過したと判定されたときに、タイトルの再生画をキャプチャする再生画キャプチャ手段と、前記キャプチャされた再生画をサムネイル画像として表示させるための静止画ファイルとして保存するメモリに空きがあるか否かを判定するメモリ空き判定手段と、前記メモリに空きがあると判定されたときに、前記メモリに前記静止画ファイルを保存させる静止画ファイル保存手段とを有する再生画キャプチャ処理部と、
前記メモリに保存された静止画ファイルが有るか無いかを判定する静止画ファイル有無判定手段と、前記メモリに保存された静止画ファイルが有ると判定されたときに、前記メモリから先頭の静止画ファイルを読み出して先頭の静止画を表示手段に表示させる静止画表示処理手段と、前記先頭の静止画の表示が所定時間経過したか否かを判定する表示時間判定手段と、前記先頭の静止画の表示が所定時間経過したと判定されたときに、前記メモリに次の静止画ファイルが有るか否かを判定する次静止画ファイル有無判定手段と、前記メモリに次の静止画ファイルが有ると判定されたときに、前記メモリから次の静止画ファイルを読み出して次の静止画を表示手段に表示させる次静止画表示処理手段とを有し、タイトルの静止画にカーソルが設定されている場合に、当該タイトルの静止画をサムネイル画像として前記表示手段に順次連続表示させる静止画連続表示処理部と、
再生するタイトルが選択され、前記メモリ空き判定手段により前記メモリに空きが有ると判定されたときは、前記再生画キャプチャ手段を実行可能にして再生時に再生画のキャプチャを行わせるキャプチャ制御手段と、前記メモリ空き判定手段により前記メモリに空きが無いと判定され、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除する自動削除手段と、前記メモリ空き判定手段により前記メモリに空きが無いと判定され、ユーザにより選択されたタイトルに対応する静止画を削除する設定になっている場合は、ユーザにより選択されたタイトルに対応する静止画ファイルを前記メモリから削除する静止画ファイル削除手段とを有するメモリ内データ削除処理部とを備えたことを特徴とする動画編集システム。
【請求項２】
再生回数が限定されている動画ファイルを再生する場合、前記動画ファイルのタイトル再生中に、所定時間間隔毎にタイトルの再生画をキャプチャし、前記メモリに前記再生画を静止画ファイルとして保存させる処理を行う再生画キャプチャ処理部と、
前記メモリに保存された静止画ファイルを読み出してサムネイル画像として表示手段に表示させ、サムネイル画像がカーソルで選択されている場合は、静止画を順次連続表示させる処理を行う静止画連続表示処理部と、
再生するタイトルが選択され、前記メモリに空きが有るときは、再生画のキャプチャを行わせ、前記メモリに空きが無く、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除し、一方、前記メモリに空きが無く、ユーザにより選択されたタイトルに対応する静止画を削除する設定になっている場合は、ユーザにより選択されたタイトルに対応する静止画ファイルを前記メモリから削除する処理を行うメモリ内データ削除処理部とを備えたことを特徴とする動画編集システム。
【請求項３】
前記再生画キャプチャ処理部は、再生回数が限定されている動画ファイルを再生する場合、前記動画ファイルのタイトル再生中に、現在の再生位置は当該キャプチャ位置より後で、そのキャプチャ位置から所定時間経過したか否かを判定する再生位置判定手段と、前記所定時間経過したと判定されたときに、タイトルの再生画をキャプチャする再生画キャプチャ手段と、前記キャプチャされた再生画をサムネイル画像として表示させるための静止画ファイルとして保存するメモリに空きがあるか否かを判定するメモリ空き判定手段と、前記メモリに空きがあると判定されたときに、前記メモリに前記静止画ファイルを保存させる静止画ファイル保存手段とを有することを特徴とする請求項２に記載の動画編集システム。
【請求項４】
前記静止画連続表示処理部は、前記メモリに保存された静止画ファイルが有るか無いかを判定する静止画ファイル有無判定手段と、前記メモリに保存された静止画ファイルが有ると判定されたときに、前記メモリから先頭の静止画ファイルを読み出して先頭の静止画を表示手段に表示させる静止画表示処理手段と、前記先頭の静止画の表示が所定時間経過したか否かを判定する表示時間判定手段と、前記先頭の静止画の表示が所定時間経過したと判定されたときに、前記メモリに次の静止画ファイルが有るか否かを判定する次静止画ファイル有無判定手段と、前記メモリに次の静止画ファイルが有ると判定されたときに、前記メモリから次の静止画ファイルを読み出して次の静止画を表示手段に表示させる次静止画表示処理手段とを有し、タイトルの静止画にカーソルが設定されている場合に、当該タイトルの静止画をサムネイル画像として前記表示手段に順次連続表示させることを特徴とする請求項２に記載の動画編集システム。
【請求項５】
前記メモリ内データ削除処理部は、再生するタイトルが選択され、前記メモリ空き判定手段により前記メモリに空きが有ると判定されたときは、再生画キャプチャ手段を実行可能にして再生時に再生画のキャプチャを行わせるキャプチャ制御手段と、前記メモリ空き判定手段により前記メモリに空きが無いと判定され、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除する自動削除手段と、前記メモリ空き判定手段により前記メモリに空きが無いと判定され、ユーザにより選択されたタイトルに対応する静止画を削除する設定になっている場合は、ユーザにより選択されたタイトルに対応する静止画ファイルを前記メモリから削除する静止画ファイル削除手段とを有することを特徴とする請求項２に記載の動画編集システム。
【考案の詳細な説明】
【技術分野】
【０００１】
本考案は、パーソナルコンピュータ、光ディスク装置、ハードディスク装置、あるいは光ディスク装置およびハードディスク装置の複合装置などの情報記録再生装置に用いられ、動画の再生画をキャプチャして静止画を表示させるための動画編集システムに関する。
【背景技術】
【０００２】
近年、デジタル画像処理技術およびインターネット通信技術の進歩により、パーソナルコンピュータ、光ディスク装置、ハードディスク装置、あるいは光ディスク装置およびハードディスク装置の複合装置などの情報記録再生装置においても、サーバからの動画ファイルを、インターネットを介して受信し、動画ファイルを再生することができるようになってきている。
【０００３】
そのような情報記録再生装置においては、動画ファイルはフレーム毎の画像を連続して表示再生することによって、初めて映像として機能するので、ユーザが動画ファイルの内容を確認するためには、必ず、その動画ファイルを再生処理することが必要となる。このため、従来の情報記録再生装置においては、複数の動画ファイルが記録されているような場合には、個々の動画ファイルを再生しなければ、その内容を確認することができず、全映像の内容確認には多くの時間を要することになる。
【０００４】
そこで、特許文献１の従来技術では、動画ファイル（動画像データ）に対する静止画の一覧表示や、それら静止画の連続再生によって、動画ファイルの内容を即座に確認できるように構成されている。即ち、この従来技術では、入力動画像データを解析して画面変化点を検出し、検出した画面変化点の画像を静止画として記録し、記録した複数の静止画をインデックス画像として一覧表示する。また、インデックス画像として一覧表示する枚数はユーザ操作で設定できるようにし、更に、ユーザからの指定時間に従って、入力動画像を所定時間間隔毎に静止画としてキャプチャすることも可能になっている。これにより、この従来技術では、入力動画像の内容を確認するのを短時間で行うことができる。
【０００５】
また、特許文献２の従来技術では、動画像データ中の１つのフレームを静止画ファイルとして取り出してサムネイルとし、１つの動画像データに対して複数のサムネイルを作成するようになっている。サムネイルの作成方法として、一定時間間隔をおいてサムネイルを自動作成することも可能であり、また、表示画面上に複数の動画像データに対応するサムネイルを各１つづつ表示し、ユーザが表示されているサムネイルの１つを選択すると、それに対応する動画像データを再生するようにしている。これにより、この従来技術では、動画像の内容を確認するのを短時間で行うことができる。
【特許文献１】特開２００１−１１９６６１号公報
【特許文献２】特開平１１−２８４９４８号公報
【特許文献３】特開２００４−１７２９４７号公報
【考案の開示】
【考案が解決しようとする課題】
【０００６】
ところで、前述した従来の情報記録再生装置や特許文献１，２に記載の従来装置において、再生回数が例えば９回以内に限定されているＤｉｖＸファイルに対する静止画を保存する場合に、ユーザが再生映像を視聴しながら、静止画を保存するようにすれば、限定されている再生回数を無駄に消費することはないが、静止画を保存するためにのみ、ＤｉｖＸファイルを再生すれば、その分、残りの再生回数が少なくなって無駄になるという課題が生じる。
【０００７】
なお、特許文献３の従来技術では、記録媒体から再生された動画を表示しつつ、表示を終えた動画をフレーム画像として設定した任意の間隔で所定時間記録手段に保存するようにしているが、そのフレーム画像はプリンタに用いられるもので、サムネイルに用いられるものではない。
【０００８】
本考案は、上記のような課題を解決するためになされたもので、再生回数が限定されている動画ファイルを、再生回数を減少させずにサムネイル表示できる動画編集システムを提供することを目的とする。
【課題を解決するための手段】
【０００９】
上記目的を達成するために、請求項１の考案は、再生回数が限定されている動画ファイルを再生する場合、前記動画ファイルのタイトル再生中に、現在の再生位置は当該キャプチャ位置より後で、そのキャプチャ位置から所定時間経過したか否かを判定する再生位置判定手段と、前記所定時間経過したと判定されたときに、タイトルの再生画をキャプチャする再生画キャプチャ手段と、前記キャプチャされた再生画をサムネイル画像として表示させるための静止画ファイルとして保存するメモリに空きがあるか否かを判定するメモリ空き判定手段と、前記メモリに空きがあると判定されたときに、前記メモリに前記静止画ファイルを保存させる静止画ファイル保存手段とを有する再生画キャプチャ処理部と、前記メモリに保存された静止画ファイルが有るか無いかを判定する静止画ファイル有無判定手段と、前記メモリに保存された静止画ファイルが有ると判定されたときに、前記メモリから先頭の静止画ファイルを読み出して先頭の静止画を表示手段に表示させる静止画表示処理手段と、前記先頭の静止画の表示が所定時間経過したか否かを判定する表示時間判定手段と、前記先頭の静止画の表示が所定時間経過したと判定されたときに、前記メモリに次の静止画ファイルが有るか否かを判定する次静止画ファイル有無判定手段と、前記メモリに次の静止画ファイルが有ると判定されたときに、前記メモリから次の静止画ファイルを読み出して次の静止画を表示手段に表示させる次静止画表示処理手段とを有し、タイトルの静止画にカーソルが設定されている場合に、当該タイトルの静止画をサムネイル画像として前記表示手段に順次連続表示させる静止画連続表示処理部と、再生するタイトルが選択され、前記メモリ空き判定手段により前記メモリに空きが有ると判定されたときは、前記再生画キャプチャ手段を実行可能にして再生時に再生画のキャプチャを行わせるキャプチャ制御手段と、前記メモリ空き判定手段により前記メモリに空きが無いと判定され、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除する自動削除手段と、前記メモリ空き判定手段により前記メモリに空きが無いと判定され、ユーザにより選択されたタイトルに対応する静止画を削除する設定になっている場合は、ユーザにより選択されたタイトルに対応する静止画ファイルを前記メモリから削除する静止画ファイル削除手段とを有するメモリ内データ削除処理部とを備えたことを特徴とする動画編集システムを提供する。
【００１０】
この構成において、先ず、再生画キャプチャ処理部が行う処理について説明する。再生する動画ファイルが、再生回数が限定されている例えばＤｉｖＸファイルであった場合、ＤｉｖＸファイルのタイトルの再生が開始し、この再生中に、再生位置判定手段は、現在の再生位置は当該キャプチャ位置より後で、そのキャプチャ位置から所定時間経過したか否かを判定する。前記所定時間経過したと判定されたときに、再生画キャプチャ手段は、当該タイトルの再生画のキャプチャを実行する。次に、メモリ空き判定手段はメモリに空きがあるか否かを判定する。メモリに空きがあると判定されたときに、静止画ファイル保存手段はメモリに静止画ファイルを保存させる。
【００１１】
このように再生画キャプチャ処理部は、再生回数が限定されている動画ファイルを再生する場合、動画ファイルのタイトル再生中に、所定時間間隔毎にタイトルの再生画をキャプチャし、メモリに再生画を静止画ファイルとして保存させる処理を行うので、動画ファイルのサムネイル画像が静止画ファイルとして保存することができる。
【００１２】
次は、静止画連続表示処理部が行う処理について説明する。先ず、静止画ファイル有無手段は、前記メモリに保存された静止画ファイルが有るか無いかを判定する。前記メモリに保存された静止画ファイルが有ると判定されたときには、静止画表示処理手段は、前記メモリから先頭の静止画ファイルを読み出して、先頭の静止画を表示手段に表示させる。この場合、カーソルが先頭の静止画を選択しているものとする。
【００１３】
次に、表示時間判定手段は、前記先頭の静止画の表示が所定時間経過したか否かを判定する。前記先頭の静止画の表示が所定時間経過したと判定されたときに、次静止画ファイル有無判定手段は、前記メモリに次の静止画ファイルが有るか否かを判定する。前記メモリに次の静止画ファイルが有ると判定されたときに、次静止画表示処理手段は、前記メモリから次の静止画ファイルを読み出して、次の静止画を表示手段に表示させる。
【００１４】
このように、静止画連続表示処理部は、当該タイトルの静止画にカーソルが設定されている場合に、当該タイトルの静止画をサムネイル画像として、表示手段に順次連続表示させるので、ユーザは、当該タイトルの要約を短時間で把握することができ、便利になる。
【００１５】
次は、メモリ内データ削除処理部の処理について説明する。再生するタイトルが選択され、前記メモリ空き判定手段により前記メモリに空きが有ると判定されたときは、キャプチャ制御手段は、前記再生画キャプチャ手段を実行可能にして再生時に再生画のキャプチャを行わせる。前記メモリ空き判定手段により前記メモリに空きが無いと判定された場合において、画像を削除する操作がされ、自動で静止画を削除する設定になっている場合は、自動削除手段は、前記メモリに格納されている静止画ファイルの中で、最後に再生した日時が一番古いタイトル、または再生回数が一番多いタイトルに対応する静止画ファイルを選択して、その静止画ファイルの削除を実行する。この後は、前記キャプチャ制御手段は、前記再生画キャプチャ手段を実行可能にして再生時に再生画のキャプチャを行わせる。
【００１６】
前記メモリ空き判定手段により前記メモリに空きが無いと判定され、ユーザにより静止画を削除する設定になっている場合は、静止画ファイル削除手段は、削除するタイトルがユーザ操作により選択されたことを検知すると、そのタイトルに対応する静止画ファイルの削除を実行する。この後は、前記キャプチャ制御手段は、前記再生画キャプチャ手段を実行可能にして再生時に再生画のキャプチャを行わせる。このように、メモリ内データ削除処理部は、メモリの空きを確保できるようにする。
【００１７】
以上の構成によれば、再生回数が限定されている動画ファイルを再生した際に、再生画を静止画として保存し、タイトルリストなどでサムネイル表示できるようにしたので、その動画ファイルの再生回数を減少させずにサムネイル表示することができ、これにより、ユーザは動画ファイルの動画像の内容を確認するのを短時間で行うことができる。
【００１８】
請求項２の考案は、再生回数が限定されている動画ファイルを再生する場合、前記動画ファイルのタイトル再生中に、所定時間間隔毎にタイトルの再生画をキャプチャし、メモリに前記再生画を静止画ファイルとして保存させる処理を行う再生画キャプチャ処理部と、前記メモリに保存された静止画ファイルを読み出してサムネイル画像として表示手段に表示させ、サムネイル画像がカーソルで選択されている場合は、静止画を順次連続表示させる処理を行う静止画連続表示処理部と、再生するタイトルが選択され、前記メモリに空きが有るときは、再生画のキャプチャを行わせ、前記メモリに空きが無く、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除し、一方、前記メモリに空きが無く、ユーザにより選択されたタイトルに対応する静止画を削除する設定になっている場合は、ユーザにより選択されたタイトルに対応する静止画ファイルを前記メモリから削除する処理を行うメモリ内データ削除処理部とを備えたことを特徴とする動画編集システムを提供する。
【００１９】
この構成において、再生画キャプチャ処理部は、再生回数が限定されている動画ファイルを再生する場合、前記動画ファイルのタイトル再生中に、所定時間間隔毎にタイトルの再生画をキャプチャし、メモリに前記再生画を静止画ファイルとして保存させる処理を行う。静止画連続表示処理部は、前記メモリに保存された静止画ファイルを読み出してサムネイル画像として表示手段に表示させ、サムネイル画像がカーソルで選択されている場合は、静止画を順次連続表示させる処理を行う。
【００２０】
メモリ内データ削除処理部は、再生するタイトルが選択され、前記メモリに空きが有るときは、再生画のキャプチャを行わせ、前記メモリに空きが無く、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除し、一方、前記メモリに空きが無く、ユーザにより選択されたタイトルに対応する静止画を削除する設定になっている場合は、ユーザにより選択されたタイトルに対応する静止画ファイルを前記メモリから削除する処理を行う。
【００２１】
以上の構成によれば、再生回数が限定されている動画ファイルを再生した際に、再生画を静止画として保存し、タイトルリストなどでサムネイル表示できるようにしたので、その動画ファイルの再生回数を減少させずにサムネイル表示することができ、これにより、動画ファイルの動画像の内容を確認するのを短時間で行うことができる。
【００２２】
請求項３の考案では、請求項２の考案において、前記再生画キャプチャ処理部は、再生回数が限定されている動画ファイルを再生する場合、前記動画ファイルのタイトル再生中に、現在の再生位置は当該キャプチャ位置より後で、そのキャプチャ位置から所定時間経過したか否かを判定する再生位置判定手段と、前記所定時間経過したと判定されたときに、タイトルの再生画をキャプチャする再生画キャプチャ手段と、前記キャプチャされた再生画をサムネイル画像として表示させるための静止画ファイルとして保存するメモリに空きがあるか否かを判定するメモリ空き判定手段と、前記メモリに空きがあると判定されたときに、前記メモリに前記静止画ファイルを保存させる静止画ファイル保存手段とを有する。
【００２３】
したがって、前記再生画キャプチャ処理部は、再生位置判定処理、再生画キャプチャ処理、メモリ空き判定処理、および静止画面データ保存処理を実現でき、これにより、再生回数が限定されている動画ファイルを再生する場合、動画ファイルのタイトル再生中に、所定時間間隔毎にタイトルの再生画をキャプチャし、メモリに再生画を静止画ファイルとして保存させることが可能になる。
【００２４】
請求項４の考案では、請求項２の考案において、前記静止画連続表示処理部は、前記メモリに保存された静止画ファイルが有るか無いかを判定する静止画ファイル有無判定手段と、前記メモリに保存された静止画ファイルが有ると判定されたときに、前記メモリから先頭の静止画ファイルを読み出して先頭の静止画を表示手段に表示させる静止画表示処理手段と、前記先頭の静止画の表示が所定時間経過したか否かを判定する表示時間判定手段と、前記先頭の静止画の表示が所定時間経過したと判定されたときに、前記メモリに次の静止画ファイルが有るか否かを判定する次静止画ファイル有無判定手段と、前記メモリに次の静止画ファイルが有ると判定されたときに、前記メモリから次の静止画ファイルを読み出して次の静止画を表示手段に表示させる次静止画表示処理手段とを有し、タイトルの静止画にカーソルが設定されている場合に、当該タイトルの静止画をサムネイル画像として前記表示手段に順次連続表示させるようにしている。
【００２５】
したがって、前記静止画連続表示処理部は、静止画ファイル有無判定処理、静止画表示処理、表示時間判定処理、次静止画ファイル有無判定処理、および次静止画表示処理を実現でき、これにより、タイトルの静止画にカーソルが設定されている場合に、当該タイトルの静止画をサムネイル画像として表示手段に順次連続表示させることが可能になる。
【００２６】
請求項５の考案では、請求項２の考案において、前記メモリ内データ削除処理部は、再生するタイトルが選択され、前記メモリ空き判定手段によりメモリに空きが有ると判定されたときは、再生画キャプチャ手段を実行可能にして再生時に再生画のキャプチャを行わせるキャプチャ制御手段と、前記メモリ空き判定手段によりメモリに空きが無いと判定され、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除する自動削除手段と、前記メモリ空き判定手段により前記メモリに空きが無いと判定され、ユーザにより選択されたタイトルに対応する静止画を削除する設定になっている場合は、ユーザにより選択されたタイトルに対応する静止画ファイルを前記メモリから削除する静止画ファイル削除手段とを有する。
【００２７】
したがって、前記メモリ内データ削除処理部は、キャプチャ制御処理、自動削除処理、および静止画ファイル削除処理を実現でき、これにより、メモリの空きを確保することが可能なる。
【考案の効果】
【００２８】
以上のように本考案によれば、再生回数が限定されている動画ファイルを再生する場合、前記動画ファイルのタイトル再生中に、現在の再生位置は当該キャプチャ位置より後で、そのキャプチャ位置から所定時間経過したか否かを判定する再生位置判定手段と、前記所定時間経過したと判定されたときに、タイトルの再生画をキャプチャする再生画キャプチャ手段と、前記キャプチャされた再生画をサムネイル画像として表示させるための静止画ファイルとして保存するメモリに空きがあるか否かを判定するメモリ空き判定手段と、前記メモリに空きがあると判定されたときに、前記メモリに前記静止画ファイルを保存させる静止画ファイル保存手段とを有する再生画キャプチャ処理部と、前記メモリに保存された静止画ファイルが有るか無いかを判定する静止画ファイル有無判定手段と、前記メモリに保存された静止画ファイルが有ると判定されたときに、前記メモリから先頭の静止画ファイルを読み出して先頭の静止画を表示手段に表示させる静止画表示処理手段と、前記先頭の静止画の表示が所定時間経過したか否かを判定する表示時間判定手段と、前記先頭の静止画の表示が所定時間経過したと判定されたときに、前記メモリに次の静止画ファイルが有るか否かを判定する次静止画ファイル有無判定手段と、前記メモリに次の静止画ファイルが有ると判定されたときに、前記メモリから次の静止画ファイルを読み出して次の静止画を表示手段に表示させる次静止画表示処理手段とを有し、タイトルの静止画にカーソルが設定されている場合に、当該タイトルの静止画をサムネイル画像として前記表示手段に順次連続表示させる静止画連続表示処理部と、再生するタイトルが選択され、前記メモリ空き判定手段によりメモリに空きが有ると判定されたときは、再生画キャプチャ手段を実行可能にして再生時に再生画のキャプチャを行わせるキャプチャ制御手段と、前記メモリ空き判定手段によりメモリに空きが無いと判定され、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除する自動削除手段と、前記メモリ空き判定手段によりメモリに空きが無いと判定され、ユーザにより選択されたタイトルに対応する静止画を削除する設定になっている場合は、ユーザにより選択されたタイトルに対応する静止画ファイルを前記メモリから削除する静止画ファイル削除手段とを有するメモリ内データ削除処理部とを備えたので、再生回数が限定されている動画ファイルを再生した際に、再生画を静止画として保存し、これにより、その動画ファイルの再生回数を減少させずにサムネイル表示することができ、したがって、動画ファイルの動画像の内容を確認するのを短時間で行うことができる。
【００２９】
また、本考案によれば、再生回数が限定されている動画ファイルを再生する場合、前記動画ファイルのタイトル再生中に、所定時間間隔毎にタイトルの再生画をキャプチャし、メモリに前記再生画を静止画ファイルとして保存させる処理を行う再生画キャプチャ処理部と、前記メモリに保存された静止画ファイルを読み出してサムネイル画像として表示手段に表示させ、サムネイル画像がカーソルで選択されている場合は、静止画を順次連続表示させる処理を行う静止画連続表示処理部と、再生するタイトルが選択され、前記メモリに空きが有るときは、再生画のキャプチャを行わせ、前記メモリに空きが無く、自動で静止画を削除する設定になっている場合は、前記メモリに格納されている静止画ファイルの中で、最後に再生した日時が一番古いタイトル、または再生回数が一番多いタイトルに対応する静止画ファイルを選択して削除し、一方、前記メモリに空きが無く、ユーザにより選択されたタイトルに対応する静止画を削除する設定になっている場合は、ユーザにより選択されたタイトルに対応する静止画ファイルを前記メモリから削除する処理を行うメモリ内データ削除処理部とを備えたので、再生回数が限定されている動画ファイルを再生した際に、再生画を静止画として保存し、これにより、その動画ファイルの再生回数を減少させずにサムネイル表示することができ、したがって、動画ファイルの動画像の内容を確認するのを短時間で行うことができる。
【考案を実施するための最良の形態】
【００３０】
以下、添付図面を参照しつつ、本考案の実施の形態について説明する。図１は本考案の一実施形態に係る動画編集システムの構成を示すブロック図である。この動画編集システムは、パーソナルコンピュータ、光ディスク装置、ハードディスク装置、あるいは光ディスク装置およびハードディスク装置の複合装置などの情報記録再生装置に用いられ、動画の再生画をキャプチャして静止画を表示させるためのものである。この動画編集システムを備える情報記録再生装置は、インターネットを介してサーバと接続可能であり、サーバからの動画ファイルをダウンロードしてハードディスクや光ディスクなどの記録媒体に記録することができ、また、記録媒体に記録された動画ファイルを再生することができるように構成されている。
【００３１】
図１において、動画編集システムは、動画入力部１、動画解析部２、静止画保存メモリ３、時間保存メモリ４、静止画表示処理部５、静止画一括保存部６、早送り／早戻し再生部７、動画再生部８、リモコン９、およびシステムコントローラ１０から構成されている。
【００３２】
動画入力部１は、インターネットを介して送られてきた動画ファイル（ＭＰＥＧ２ファイルやＭＰＥＧ４ファイルなど）、カメラなどから取り込まれハードディスクなどの記録媒体に記録されている動画ファイル、ＣＤ−ＲＯＭなどに記録されている動画ファイル、などを読み込むためのものである。動画入力部１によって入力された動画ファイルは、動画解析部２に送られ、デコード処理および画面変化点を検出するための解析処理などが行われる。
【００３３】
動画解析部２は、動画ファイルを解析することによって映像が大きく変化する画面変化点を検出し、その画面変化点に対応する復号画像をビットマップ形式の静止画として静止画保存メモリ３に保存する。映像が大きく変化するフレームでは、動きベクトルが大きいので、その動きベクトルの値によって画面変化点を検出することができる。即ち、動画解析部２は、ピクチャ毎に動きベクトルの大きさを調べ、所定の閾値よりも大きい場合には、その画像をビットマップ形式の静止画として記録する。動きベクトルの値が一定の値よりも小さい場合は、映像が変化しないと判断して、静止画の記録は行わずに、次の映像の解析処理を行う。
【００３４】
また、動画解析部２は、静止画を記録する場合には、その静止画として記録するフレーム画像の動画上の先頭からの位置を示す時間情報を、時間保存メモリ４に保存する。時間情報としては、静止画として記録するフレーム画像のフレーム番号などを使用することもできる。静止画表示処理部５は、静止画保存メモリ３に保存されている複数の静止画ファイルによる静止画の一覧、または当該静止画ファイルによる静止画を、ディスプレイ装置１１に表示させるための画像処理を行う。
【００３５】
インデックス画像は、複数の静止画の各サムネイル画像から構成される。即ち、静止画保存メモリ３には、復号処理後の静止画が動画像データのショットとして記録されているので、それら静止画をまとめて一括表示することにより、動画データの画面変化点毎のショットの一覧から構成されるインデックス画像が表示されることになる。この場合、必ずしも静止画保存メモリ１３に保存されている全ての静止画のサムネイル画像をインデックス画像として表示する必要はなく、ユーザによって予め指定された枚数分の静止画のみを読み出して、それらのサムネイル画像の一覧をインデックス画像として表示すれば良い。
【００３６】
静止画一括保存部６は、静止画表示処理部５によってインデックス画像として一覧表示された複数の静止画をまとめて一つのファイル（インデックス画像ファイル）として保存する。このインデックス画像ファイルは、元の動画ファイルのファイル名に特定の記号を付加したファイル名などで静止画一括保存部６に保存される。
【００３７】
早送り／早戻し再生部７は、静止画保存メモリ１３に記録されている複数の静止画を所定時間間隔で連続再生することにより、簡易的な早送り再生または早戻し再生を実行する。動画再生部８は、複数の静止画が一覧表示されるインデックス表示画面上で指定された特定の静止画に対応する位置から、動画ファイルの再生を開始するためのものであり、指定された静止画に対応する時間情報を時間保存メモリ４から取得し、その時間情報で指定される位置から動画データの復号・再生を行う。
【００３８】
システムコントローラ１０は、再生回数が限定されている動画ファイルを再生する場合、前記動画ファイルのタイトル再生中に、現在の再生位置は当該キャプチャ位置より後で、そのキャプチャ位置から所定時間経過したか否かを判定する再生位置判定手段と、前記所定時間経過したと判定されたときに、タイトルの再生画をキャプチャする再生画キャプチャ手段と、前記キャプチャされた再生画をサムネイル画像として表示させるための静止画ファイルとして保存する静止画保存メモリ３に空きがあるか否かを判定するメモリ空き判定手段と、静止画保存メモリ３に空きがあると判定されたときに、静止画保存メモリ３に前記静止画ファイルを保存させる静止画ファイル保存手段とを有する再生画キャプチャ処理部１０１を備えている。
【００３９】
この再生画キャプチャ処理部１０１は、再生回数が限定されているＤｉｖＸファイルなどを再生した際に、再生中に所定時間間隔毎に再生画をキャプチャし、静止画ファイル（ＪＰＥＧファイルなど）として静止画保存メモリ３に保存させるものである。
【００４０】
また、システムコントローラ１０は、静止画保存メモリ３に保存された静止画ファイルが有るか無いかを判定する静止画ファイル有無判定手段と、静止画保存メモリ３に保存された静止画ファイルが有ると判定されたときに、静止画保存メモリ３から先頭の静止画ファイルを読み出して先頭の静止画を表示手段に表示させる静止画表示処理手段と、前記先頭の静止画の表示が所定時間経過したか否かを判定する表示時間判定手段と、前記先頭の静止画の表示が所定時間経過したと判定されたときに、静止画保存メモリ３に次の静止画ファイルが有るか否かを判定する次静止画ファイル有無判定手段と、静止画保存メモリ３に次の静止画ファイルが有ると判定されたときに、静止画保存メモリ３から次の静止画ファイルを読み出して次の静止画を表示手段に表示させる次静止画表示処理手段とを有し、タイトルの静止画にカーソルが設定されている場合に、当該タイトルの静止画をサムネイル画像として前記表示手段に順次連続表示させる静止画連続表示処理部１０２を備えている。
【００４１】
この静止画連続表示処理部１０２は、静止画ファイルをタイトルリスト画面上でサムネイルとして表示させ、そのサムネイル（静止画）がカーソルで選択されている場合は、静止画ファイルをタイトルリスト画面上で順に連続表示させるものである。
【００４２】
更に、システムコントローラ１０は、再生するタイトルが選択され、前記メモリ空き判定手段により静止画保存メモリ３に空きが有ると判定されたときは、前記再生画キャプチャ手段を実行可能にして再生時に再生画のキャプチャを行わせるキャプチャ制御手段と、前記メモリ空き判定手段により静止画保存メモリ３に空きが無いと判定され、自動で静止画を削除する設定になっている場合は、静止画保存メモリ３に格納されている静止画ファイルの中で、最後に再生した日時が一番古いタイトル、または再生回数が一番多いタイトルに対応する静止画ファイルを選択して削除する自動削除手段と、前記メモリ空き判定手段により静止画保存メモリ３に空きが無いと判定され、ユーザにより静止画を削除する設定になっている場合は、ユーザにより選択された静止画ファイルを静止画保存メモリ３から削除する静止画ファイル削除手段とを有するメモリ内データ削除処理部１０３を備えている。
【００４３】
このメモリ内データ削除処理部１０３は、静止画保存メモリ３に対して１タイトル毎のメモリサイズを固定する。また、このメモリ内データ削除処理部１０３では、静止画ファイルは静止画保存メモリ３に保存させるが、静止画ファイルの容量がメモリの容量を超えてしまう場合は、静止画ファイルを保存しない。また、このメモリ内データ削除処理部１０３は、静止画保存メモリ３に空きがない状態で新たな動画ファイルを再生する場合は、所定条件による自動、または手動で、選択されたタイトルの静止画ファイルを全て削除し、静止画保存メモリ３の空きを確保する。
【００４４】
図２は本実施形態において再生画のキャプチャを開始してから終了するまでの時間を説明するための図である。図２において、ｔ１は再生画のキャプチャを開始する時点、ｔ２は静止画保存メモリ３（図１参照）の容量が足り無くなって再生画のキャプチャが終了した時点を示す。ｔはキャプチャを行う時間間隔を示す。
【００４５】
図３は本実施形態においてディスプレイ装置に表示されたタイトルリストの画面を示す図である。図３において、３１はタイトルリストが表示されている表示画面を示し、この表示画面３１上には例えば６個の表示枠３２が設けられている。３３はカーソルを示し、このカーソル３３は静止画３４を選択していない状態を示す。したがって、この場合、カーソル３３は静止画３４を選択していないので、静止画３４は連続表示されることはない。
【００４６】
図４は本実施形態においてディスプレイ装置に表示されたタイトルリストの画面を示す図である。図４において、３１はタイトルリストが表示されている表示画面を示し、この表示画面３１上には例えば６個の表示枠３２が設けられている。３３はカーソルを示し、このカーソル３３は静止画３４を選択している状態を示す。したがって、この場合、カーソル３３は静止画３４を選択しているので、静止画３４は画像ファイルを順に連続表示されたものとなる。
【００４７】
図５は本実施形態においてシステムコントローラの再生画キャプチャ処理部が行う処理を説明するためのフローチャートである。このフローチャートおよび図１、図２を参照して再生画キャプチャ処理部が行う処理について説明する。
【００４８】
インターネットを介して動画入力部１で受信した動画ファイルが、再生回数が限定されているＤｉｖＸファイルであった場合、動画再生部３により、ＤｉｖＸファイルのタイトルの再生が開始し（ステップＳ１）、この再生中に、ユーザがリモコン９の停止キーを押下すると、システムコントローラ１０は、再生が停止したことを検知し（ステップＳ２）、これにより、動画再生部８を停止させ、本処理を終えるが、再生が停止していなくて再生が続行している場合には、システムコントローラ１０における再生画キャプチャ処理部１０１の再生位置判定手段は、現在の再生位置は当該キャプチャ位置より後で、そのキャプチャ位置から所定時間（例えば、図２に示す時間ｔ）を経過したか否かを判定する（ステップＳ３）。
【００４９】
前記所定時間経過したと判定されたときに、再生画キャプチャ処理部１０１の再生画キャプチャ手段は、当該タイトルの再生画のキャプチャを実行する（ステップＳ４）。次に、再生画キャプチャ処理部１０１のメモリ空き判定手段は、前記キャプチャされた再生画をサムネイル画像として表示させるための静止画ファイルとして保存する静止画保存メモリ３に空きがあるか否かを判定する（ステップＳ５）。静止画保存メモリ３に空きがあると判定されたときに、再生画キャプチャ処理部１０１の静止画ファイル保存手段は、静止画保存メモリ３に前記静止画ファイルを保存させる（ステップＳ６）。
【００５０】
ステップＳ２〜ステップＳ６の処理を繰り返し、再生画キャプチャ処理部１０１のメモリ空き判定手段が静止画保存メモリ３に空きがないと判定すると（ステップＳ５）、本処理は終了する。
【００５１】
このように再生画キャプチャ処理部１０１は、再生回数が限定されている動画ファイルであるＤｉｖＸファイルを再生する場合、ＤｉｖＸファイルのタイトル再生中に、所定時間間隔毎にタイトルの再生画をキャプチャし、静止画保存メモリ３に再生画をＪＰＥＧファイルとして保存させる処理を行うので、ＤｉｖＸファイルのサムネイル画像がＪＰＥＧファイルとして保存することができる。
【００５２】
図６は本実施形態においてシステムコントローラの静止画連続表示処理部が行う処理を説明するためのフローチャートである。このフローチャートおよび図１、図４を参照して静止画連続表示処理部が行う処理について説明する。
【００５３】
先ず、システムコントローラ１０における静止画連続表示処理部１０２の静止画ファイル有無手段は、再生画をキャプチャした静止画ファイル（ＪＰＥＧファイル）が有るか無いかを検知するために、静止画保存メモリ３に保存された静止画ファイルが有るか無いかを判定する（ステップＳ７）。静止画保存メモリ３に保存された静止画ファイルが無いと判定されたときは、例えば、図４に示すように、タイトルリスト画面３１上の各表示枠３２には、画像無し表示されるが（ステップＳ１２）、静止画保存メモリ３に保存された静止画ファイルが有ると判定されたときには、静止画連続表示処理部１０２の静止画表示処理手段は、静止画保存メモリ３から先頭の静止画ファイルを読み出して静止画表示処理部５の処理を経て先頭の静止画をディスプレイ装置１１に表示させる（ステップＳ８）。この場合、例えば、図４に示すように、カーソル３３が静止画３４を選択しているものとし、カーソル３３により選択されている静止画３４が、以下のステップＳ９〜ステップＳ１１の処理により、再生順に従って連続表示される。
【００５４】
ステップＳ８の処理を終えた後、静止画連続表示処理部１０２の表示時間判定手段は、前記先頭の静止画の表示が所定時間経過したか否かを判定する（ステップＳ９）。前記先頭の静止画の表示が所定時間経過したと判定されたときに、静止画連続表示処理部１０２の次静止画ファイル有無判定手段は、静止画保存メモリ３に次の静止画ファイルが有るか否かを判定する（ステップＳ１０）。静止画保存メモリ３に次の静止画ファイルが有ると判定されたときに、静止画連続表示処理部１０２の次静止画表示処理手段は、静止画保存メモリ３から次の静止画ファイルを読み出して静止画表示処理部５の処理を経て次の静止画をディスプレイ装置１１に表示させる（ステップＳ１１）。
【００５５】
このように、静止画連続表示処理部１０２は、タイトルの静止画にカーソルが設定されている場合に、当該タイトルの静止画をサムネイル画像としてディスプレイ装置１１に順次連続表示させるので、ユーザは、当該タイトルの要約を短時間で把握することができ、便利になる。
【００５６】
図７は本実施形態においてメモリ内データ削除処理部の処理を説明するためのフローチャートである。このフローチャートおよび図１を参照してメモリ内データ削除処理部の処理について説明する。
【００５７】
再生するタイトルが選択され（ステップＳ１３）、前記メモリ空き判定手段により静止画保存メモリ３に空きが有ると判定されたときは（ステップ１４）、システムコントローラ１０におけるメモリ内データ削除処理部１０３のキャプチャ制御手段は、前記再生画キャプチャ手段を実行可能にして再生時に再生画のキャプチャを行わせる（ステップＳ２０）。
【００５８】
前記メモリ空き判定手段により静止画保存メモリ３に空きが無いと判定された場合において、システムコントローラ１０がリモコン９により画像を削除する操作がされたことを検知すると（ステップＳ１５）、セットアップにおいて自動で静止画を削除する設定になっている場合は（ステップＳ１６）、メモリ内データ削除処理部１０３の自動削除手段は、静止画保存メモリ３に格納されている静止画ファイルの中で、最後に再生した日時が一番古いタイトル（または再生回数が一番多いタイトル）に対応する静止画ファイルを選択して（ステップＳ１７）、その静止画ファイルの削除を実行する（ステップＳ１９）。この後は、前記キャプチャ制御手段は、前記再生画キャプチャ手段を実行可能にして、再生時に再生画のキャプチャを行わせる（ステップＳ２０）。
【００５９】
前記メモリ空き判定手段により静止画保存メモリ３に空きが無いと判定され、ユーザにより静止画を削除する設定になっている場合は、メモリ内データ削除処理部１０３の静止画ファイル削除手段は、削除するタイトルがユーザのリモコン９の操作により選択されたことを検知すると（ステップＳ１８）、そのタイトルに対応する静止画ファイルの削除を実行する（ステップＳ１９）。この後は、前記キャプチャ制御手段は、前記再生画キャプチャ手段を実行可能にして再生時に再生画のキャプチャを行わせる（ステップＳ２０）。なお、システムコントローラ１０が画像を削除する操作がされなかったことを検知した場合は、システムコントローラ１０は、再生時に再生画のキャプチャを行わない（ステップＳ２１）。
【００６０】
以上説明したように本実施形態によれば、再生回数が限定されている動画ファイルを再生した際に、再生画を静止画として保存し、これにより、その動画ファイルの再生回数を減少させずにサムネイル表示することができ、したがって、動画ファイルの動画像の内容を確認するのを短時間で行うことができる。
【産業上の利用可能性】
【００６１】
本考案は、パーソナルコンピュータ、光ディスク装置、ハードディスク装置、あるいは光ディスク装置およびハードディスク装置の複合装置などに用いられ、動画の再生画をキャプチャして静止画を表示させるのに利用可能である。
【図面の簡単な説明】
【００６２】
【図１】本考案の一実施形態に係る動画編集システムの構成を示すブロック図である。
【図２】前記実施形態において再生画のキャプチャを開始してから終了するまでの時間を説明するための図である。
【図３】前記実施形態においてディスプレイ装置に表示されたタイトルリストの画面を示す図である。
【図４】前記実施形態においてディスプレイ装置に表示されたタイトルリストの画面を示す図である。
【図５】前記実施形態においてシステムコントローラの再生画キャプチャ処理部が行う処理を説明するためのフローチャートである。
【図６】前記実施形態においてシステムコントローラの静止画連続表示処理部が行う処理を説明するためのフローチャートである。
【図７】前記実施形態においてメモリ内データ削除処理部の処理を説明するためのフローチャートである。
【符号の説明】
【００６３】
３    静止画保存メモリ（メモリ）
１１    ディスプレイ装置（表示手段）
１０１    再生画キャプチャ処理部
１０２    静止画連続表示処理部
１０３    メモリ内データ削除処理部
【図１】
0003126031.tif 000003
【図２】
0003126031.tif 000004
【図３】
0003126031.tif 000005
【図４】
0003126031.tif 000006
【図５】
0003126031.tif 000007
【図６】
0003126031.tif 000008
【図７】
0003126031.tif 000009